(57)【要約】【課題】床暖房の機能を損わずに電位発生器が簡単に利用できるようにしたものを提供する【解決方法】電位発生器３０と循環式床暖房装置１０からなる電位発生機能付き床暖房装置１０において、電位発生器は負電位発生回路が組み込まれ、循環式床暖房装置の床暖房ユニット１１を構成する放熱パイプ１６と床板下面に形成した均熱層１５のどちらか一方が負電位発生回路の出力端子４７と連結されると共に、前記放熱パイプと前記均熱層は当接するか、或は電線等で接続されて、前記均熱層に電圧が印加されるようにした。  また、床暖房部分はユニット構造であって、帯電する床と絶縁される床とに分かれるようにした。【選択図】図１
2006038433.tif 000002
【特許請求の範囲】
【請求項１】
電位発生器と循環式床暖房装置からなる電位発生機能付き床暖房装置において、前記電位発生器は入力された交流電圧から基準とする電圧値より負方向の電圧成分を取り出す負電位発生回路が組み込まれ、前記循環式床暖房装置は床暖房ユニットとボイラー部とからなり、前記床暖房ユニットは床板と床板下面に積重した放熱部から構成され、前記放熱部に温水や蒸気等の熱媒を循環させる放熱パイプが配設されると共に、前記負電位発生回路の出力端子と前記床暖房ユニットとを電線等の導体で接続して通電し、床面に電界が発生するようにしたことを特徴とする電位発生機能付き床暖房装置。
【請求項２】
前記床暖房ユニットにおいて、前記床板は、化粧材下面に絶縁体を貼着し、熱伝導率が高い導体からなる均熱層を絶縁体下面に形成し、前記放熱部は、断熱性を備えた基礎パネル上に前記放熱パイプを配設し、前記均熱層と前記放熱パイプが当接するか、或は電線等で接続されて通電するようにしたことを特徴とする請求項１に記載の電位発生機能付き床暖房装置。
【請求項３】
前記均熱層は、導体を前記絶縁体下面へ面状に広げて形成し、前記放熱パイプは、金属管から形成されるか若しくは合成樹脂製等のパイプ周囲に導体を巻装して形成され、前記負電位発生回路の出力端子と前記放熱パイプ或は前記均熱層とを電線等の導体で接続すると共に、該均熱層が一様に帯電するようにしたことを特徴とする請求項１に記載の電位発生機能付き床暖房装置。
【請求項４】
床暖房装置は複数枚の前記床暖房ユニットを連設して所定の床面積に構成し、隣り合う前記床暖房ユニットの内、一方の前記放熱パイプと他方の前記放熱パイプとを導体と絶縁体のいずれかを選択して連結するか、若しくは一方の前記均熱層と他方の前記均熱層との間へ導体と絶縁体のいずれかを選択して配置し、帯電して負電位が発生する帯電床部と絶縁される絶縁床部とに分かれるようにしたことを特徴とする請求項１に記載の電位発生機能付き床暖房装置。
【請求項５】
電位発生器と面状に広がる導体からなる均熱導電シートを電線等の導体で連結して構成される電位発生機能補助装置において、前記均熱導電シートを所定面積に形成し、既設の床暖房装置の床板と放熱部との間に敷設することを特徴とする電位発生機能補助装置。
【請求項６】
化粧材下面に絶縁体を貼着し、熱伝導率が高い導体からなる均熱層を絶縁体下面に形成した前記床板からなる床か、若しくは床の裏面側に所定面積に形成した前記均熱導電シートを敷設した床と前記電位発生器とを導体で接続したことを特徴とする請求項１及び２、若しくは請求項５に記載の電位発生機能付き床暖房装置若しくは電位発生機能補助装置。
【発明の詳細な説明】
【技術分野】
【０００１】
本発明は、電位発生機能を備えた床暖房装置に関し、特に循環式床暖房装置に電位発生器を組み込んだ床暖房装置と、既設の床暖房装置に組み込める電位発生機能の補助装置に関する。
【背景技術】
【０００２】
従来床暖房装置は、床の基礎部分に電熱線と熱を均等に分散させる均熱板、床板と順次積層して構成される。この床暖房方式は、ファンヒーターやエアコン等の対流暖房方式と比較すると埃が舞い上がらず、また床付近に暖かい空気が層を成し易いため体感的に暖かく感じる。したがって、風邪等に罹りやすい乳幼児や高齢者のいる家屋では有効な暖房方式といえる。
また、電位療法は、微弱電流と高電圧からなる高圧電界中に人体を置くことによって、血液の循環を良くし、肩凝り、頭痛、不眠症、慢性便秘等の症状を緩和する。
上記の暖房方式と電位療法を組み合わせ、電気式床暖房装置に供給される電力を床暖房不使用時に装置へ組み込んだ負電位発生器に供給し、床暖房と電位療法が交互に行なわれるようにしたものが特許文献１に記載の発明である。
【特許文献１】特開２００４−１８３９３６号公報
【発明の開示】
【発明が解決しようとする課題】
【０００３】
しかしながら、上記の電位発生器付き電気式床暖房装置の場合、電位発生機能使用時には高電圧かつ微電流からなる電界を均熱シートに印加して施療し、一方床暖房使用時には均熱シートを負電位発生回路から電気的に切り離し、電熱線等に大電流を流して発熱させることで床を暖める。したがって、電位発生機能回路と床暖房回路との間に何ら安全装置を設けることなく同時に使用することは漏電などの原因となるおそれがある。そのため、電位発生器の電源と床暖房装置の電源がそれぞれの使用時に切換わるように構成されており、電位療法を継続して行なっている際には床暖房装置の電源が切れる。すなわち、厳冬期等の使用条件によっては電位療法時に床が冷えてしまい、かえって健康に良くない。
また、既に床暖房装置を設置している場合、上記の電気式床暖房装置を設置するためには床を張り替えたり、新たな電源の確保等、工事費用が嵩んでしまう。
【０００４】
本発明は上記の課題に鑑み為された物であって、床暖房の機能を損わずに電位発生器が簡単に利用できるようにしたものを提供することを目的とする。
【課題を解決するための手段】
【０００５】
上記課題を解決するために本発明は、電位発生器と循環式床暖房装置からなる電位発生機能付き床暖房装置において、前記電位発生器は入力された交流電圧から基準とする電圧値より負方向の電圧成分を取り出す負電位発生回路が組み込まれ、前記循環式床暖房装置は床暖房ユニットとボイラー部とからなり、前記床暖房ユニットは床板と床板下面に積重した放熱部から構成され、前記放熱部に温水や蒸気等の熱媒を循環させる放熱パイプが配設されると共に、前記負電位発生回路の出力端子と前記床暖房ユニットとを電線等の導体で接続して通電し、床面に電界が発生するようにしたことを特徴とする。
また好ましくは、前記床暖房ユニットにおいて、前記床板は、化粧材下面に絶縁体を貼着し、熱伝導率が高い導体からなる均熱層を絶縁体下面に形成し、前記放熱部は、断熱性を備えた基礎パネル上に前記放熱パイプを配設し、前記均熱層と前記放熱パイプが当接するか、或は電線等で接続して通電するようにした。
そして好ましくは、前記均熱層は、導体を前記絶縁体下面へ面状に広げて形成し、前記放熱パイプは、金属管から形成されるか若しくは合成樹脂製等のパイプ周囲に導体を巻装して形成され、前記負電位発生回路の出力端子と前記放熱パイプ或は前記均熱層とを電線等の導体で接続すると共に、該均熱層が一様に帯電するようにした。
さらに好ましくは、床暖房装置は複数枚の前記床暖房ユニットを連設して所定の床面積に構成し、隣り合う前記床暖房ユニットの内、一方の前記放熱パイプと他方の前記放熱パイプとを導体と絶縁体のいずれかを選択して連結するか、若しくは一方の前記均熱層と他方の前記均熱層との間へ導体と絶縁体のいずれかを選択して配置し、帯電して負電位が発生する帯電床部と絶縁される絶縁床部とに分かれるようにした。
また、電位発生器と面状に広がる導体からなる均熱導電シートを電線等の導体で連結して構成される電位発生機能補助装置において、前記均熱導電シートを所定面積に形成し、既設の床暖房装置の床板と放熱部との間に敷設する。
そして好ましくは、化粧材下面に絶縁体を貼着し、熱伝導率が高い導体からなる均熱層を絶縁体下面に形成した前記床板からなる床か、若しくは床の裏面側に所定面積に形成した前記均熱導電シートを敷設した床と前記電位発生器とを導体で接続した。
【発明の効果】
【０００６】
本発明によれば、循環式床暖房装置の放熱パイプに沿って電流が流れ、床面が負電位に帯電するようにした。したがって、人体は負電位に帯電した電界中に置かれ、電位療法が行なわれると共に、温水や蒸気等の熱媒が循環する放熱パイプによって暖められた床面によって温熱療法も行なうことができる。
また、均熱層は、絶縁体下面で面状に広がるように形成し、放熱パイプは、金属管か或は合成樹脂製のパイプの周囲に導体を巻装して形成した。したがって、電位発生器の出力端子から通電した時に、放熱パイプと均熱層に電流が流れ、均熱層へ一様に印加された電圧によって、床面が負電位に帯電するようにした。
そして、床暖房ユニットを複数枚組み合わせて床を構成するようにし、床暖房ユニットを連設する際に、放熱パイプの継手を導体或は絶縁体のいずれかを選択して該パイプを連結するか、または、均熱層間に導体或は絶縁体のいずれかを選択して挟持することで、負電位が発生する帯電床部と電圧が印加されない絶縁床部とに分かれるようにした。したがって、電位発生機能を所定の床面積に備えることができる。
また、電位発生器と導体を面状に広げた均熱導電シートからなる電位発生機能補助装置を既設の床暖房装置の床板と放熱部との間に敷設するようにした。したがって、床を全面張り替えることなく床暖房装置に電位発生機能を組み込むことができるので、工事費を安く抑えることができる。
加えて、電位発生器と均熱層若しくは均熱導電シートとからなる電位発生機能付き床暖房装置若しくは電位発生機能補助装置は、床暖房装置から独立して作動するようにした。したがって、床暖房を使用しない季節であっても電位療法が行なえることや、または、床暖房装置の必要の無い温暖な地域であっても電位発生器と均熱層若しくは均熱導電シートを床下に設けて電位療法が行なえるようにすることが可能である。
【発明を実施するための最良の形態】
【０００７】
電位発生器と循環式床暖房装置からなる電位発生機能付き床暖房装置において、電位発生器は負電位発生回路が組み込まれ、循環式床暖房装置の床暖房ユニットを構成する放熱パイプと床板下面に形成した均熱層のどちらか一方が負電位発生回路の出力端子と連結されると共に、前記放熱パイプと前記均熱層は当接するか、或は電線等で接続されて、前記均熱層に電圧が印加されるようにした。
また、床暖房部分はユニット構造であって、帯電する床と絶縁される床とに分かれるようにした。
以下に本発明の実施例を示す。
【実施例１】
【０００８】
本発明に係る電位発生機能付き床暖房装置を実施例１として図１及び図２に示す。床暖房装置１０は、連設して床面を形成する床暖房ユニット１１と、ボイラー部１２と、温度コントローラ２０及び電位発生器３０とから構成される。
【０００９】
床暖房ユニット１１は、床板１３と放熱部１４から構成される。
床板１３は、木材等の絶縁体１３ｂの表面に木質フローリング材等の化粧材１３ａを貼着し、裏面側に形成した熱伝導性の高い金属製の均熱層１５と重ね合わせる。
放熱部１４は、床基礎部分に載置されて床下からの冷気を防ぐように断熱効果を備える発泡ウレタン等からなる基礎パネル１８を根太間に配置し、ボイラー部１２からの温水や暖気等の熱媒を循環させる放熱パイプ１６を所定形状に曲折させて配設し、放熱パイプ１６間の隙間に不燃性の化学繊維若しくはガラス繊維からなり保温効果と断熱効果を備えた断熱材１７を充填させて形成される。
そして、床板１３と放熱部１４との間に均熱層１５を挟んで重ね合わせることによって、放熱パイプ１６からの熱が均熱層１５で床板１３全面に一様に拡がり、暖められた床板１３が基礎パネル１８と断熱材１７によって保温されるように構成される。
ボイラー部１２は、炉内で燃料を燃焼させるか若しくは電気等を用いて水等を加熱して蒸気または温水等の熱媒を形成し、放熱パイプ１６へ熱媒を送出する。送出された熱媒は床暖房ユニット１１内で放熱し、再度ボイラー部１２の炉内で加熱される。このようにして熱媒はパイプ内を循環する。
【００１０】
床暖房ユニット１１は均熱層１５の形態と放熱パイプ１６の構造によって以下に示す例のように分けることができる。
【００１１】
図２は実施例１に係る床暖房ユニット１１の一の例であって、均熱層１５は熱伝導性及び導電性の良い銅やアルミニウム等の金属からなる金属箔から形成され、放熱パイプ１６は熱伝導性及び導電性の良い銅等の金属からなる金属管から形成される。そして、放熱パイプ１６と均熱層１５とは当接して、熱が伝わりやすく、かつ通電することができるように構成されている。
【００１２】
次に他の例として床暖房ユニット１１Ａを図３に示す。均熱層１５は熱伝導性及び導電性の良い銅やアルミニウム等からなる金属板１５Ａから形成され、放熱パイプ１６は合成樹脂等からなる絶縁体のパイプの外周に金属製のテープ或はシートを巻き付けてパイプ表面に沿って通電するように構成されたパイプ１６Ａである。ここで、均熱層１５Ａと放熱パイプ１６Ａとの間に断熱材１７が充填されているため、放熱パイプ１６Ａから均熱層１５Ａは絶縁されている。したがって、均熱層１５Ａと放熱パイプ１６Ａとを導電性のある金属線１９で接続し、均熱層１５Ａに一様な電位が印加されるようにする。
【００１３】
以上の例の組み合わせはこれに限定されるものではなく、例えば放熱パイプ１６と金属板１５Ａとを金属線１９で連結したり、放熱パイプ１６Ａと均熱層１５が当接して一様な電位が床暖房ユニットの床板に印加されるよう構成することも可能である。
【００１４】
図４に温度コントローラ２０を示し、図５に示したブロック図によって制御方法を説明する。
温度コントローラ２０は、筐体２０Ａの外側面に室温やタイマーを使用するための時刻等運転状況が表示される温度コントローラ表示部２１と、電源スイッチや室温設定、タイマー設定等の操作を行なう温度コントローラ操作部２２を配置し、筐体内部に温度検知部２３、温度制御部２４、中央演算装置２５などの集積回路を載置した温度コントローラ基板を収めて構成される。
図５に示すように温度コントローラ２０による床暖房装置の制御方法は、床板の均熱層或は絶縁体部分とボイラー部１２の炉付近或は放熱パイプ１６との連結部等の適宜な位置、そして床暖房を設置した室内等の所定位置に設けたボイラー温度センサ２６ａ、室温センサ２６ｂ及び床温度センサ２６ｃからの温度データが温度検知部２３に入力され、中央演算部２５による演算を介して、温度制御部２４からボイラー部１２へ出力される。
そして、ボイラー部１２の炉内の熱源を制御して、発生させる熱媒の温度若しくは流量を調整して床面温度、及び室温を最適化し、それらの温度を再びボイラー温度センサ２６ａ、室温センサ２６ｂ及び床温度センサ２６ｃで検知して常に温度変化を監視して熱源を制御する。
【００１５】
図６に電位発生器３０を示し、図７及び図８に示した電位発生器３０に組み込まれた負電位発生回路４０の回路図を用いて説明する。
電位発生器３０は、筐体３０Ａの外側面にタイマーを使用するための時刻と運転状況等が表示される電位発生機能表示部３１と、タイマー設定等の操作を行なう電位発生機能操作部３２を配置し、筐体内部に負電位発生回路４０とタイマーカウンタ等を載置した電位発生器基板を収めて構成する。
電位発生器３０のタイマーは使用者の身体に負担がかかり過ぎないように最大稼働時間が設定されており、連続か断続かにかかわらず積算して、最大稼働時間が終了すると自動停止するように設定されている。
電位発生器３０の負電位発生回路４０は、ダイオードを４個接続したダイオードブリッジ４２を交流電源４１に接続して脈流を取り出すように構成される。ここで図７に単相３線式で線間電圧が２００Ｖの交流電源４１を用いた回路例を示し、図８に家庭用として一般的に配電される１００Ｖの交流電源４１Ａを用いた回路例を示す。図９に負電位発生回路４０に入力される交流電圧の波形４８を示し、出力される交流電圧の波形４９を図１０に示す。
ダイオードブリッジ４２は整流回路であって、交流電源４１をもとに脈流を発生させる。整流回路の出力端子の陽極側に負荷抵抗４３を接続し、負荷抵抗４３と比べて非常に小さい抵抗値を呈す接地抵抗４４と出力抵抗４５がそれぞれダイオードブリッジ４２の接地点と負電位発生回路４０の出力端子４７に接続されている。スイッチ４６は出力側にスイッチ４６ａ、接地側にスイッチ４６ｂを設ける。
【００１６】
図７を用いて電位発生器３０の負電位発生方法を説明する。
負電位発生回路４０によって負電位を発生させるために、スイッチ４６ａ，４６ｂを共に閉じる。このとき、接地電位を基準とし交流電源４１が正電位の場合、負荷抵抗４３及び接地抵抗４４に電流が流れ、負電位発生回路４０の出力端子４７には接地電位に近似な電圧が出力される。一方、交流電源４１が負電位の場合、出力抵抗４５に電流が流れ、出力端子４７に負電圧が出力される。
スイッチ４６ａは電位発生器３０の本体電源を落としたときに、均熱層１５を形成する導体の電位が不安定になることを防止するために、接地接続されるように構成することが好ましく、スイッチ４６ｂは本体電源を落としたときに、本体電源と連動して開放されるか、または負電位発生回路４０が使用されていないときに絶縁抵抗値を測定することが可能であるように構成することが好ましい。
【００１７】
図９に示したように、交流電源４１から入力される交流電圧は公称電圧が２００Ｖ若しくは１００Ｖで最大約２８２Ｖ若しくは約１４１Ｖの振幅をもつ正弦波形４８である。そして、負電位発生回路４０を介して、図１０に示すように入力波形４８から基準電圧よりも下方の波形部分が取り出された波形４９が出力される。すなわち、入力された電圧の正方向成分は負荷抵抗４３によって抑えて出力し、負方向成分は負荷抵抗４３を迂回することによって入力電圧を抑えずに出力して、負方向の電圧に強弱をつけた脈流を発生する。
ここで、負電位発生回路４０にコンデンサ又はコイルからなる共振回路や昇圧回路等を組み込み最大電圧を昇圧したり、或はダイオードブリッジを用いた直流電源と整流器からなるクリップ回路等を組み込み、基準電圧を調整することが可能となるように構成することも可能である。
また、電位発生器３０を構成する負電位発生回路４０は温度コントローラ２０に組み込むようにして形成することができる。この場合温度コントローラ表示部２１と電位発生器表示部３１は一つにまとめられ表示切換えを行なうことによって温度コントローラ表示部２１としても電位発生器表示部３１としても使用することができ、一枚の基板上に温度コントローラ２０と負電位発生回路４０を配設し、中央演算部２５で一括して制御することもできる。
【００１８】
実施例1に係る各部分の構成は以上であり、床暖房装置１０はこれらを組立てて構成する。
床暖房ユニット１１は複数枚組み合わせて連設し所定の面積にする。図１１に示すように隣り合う床暖房ユニット１１の内、一方の放熱パイプ１６と他方の放熱パイプ１６を金属製継手５２で連結して、一方のユニット１１から他方のユニット１１へ通電して電界を発生するようにした帯電床部５０と、一方の放熱パイプ１６と他方の放熱パイプ１６をセラミックスやプラスチック等からなる絶縁体継手５３で連結して、一方のユニット１１と他方のユニット１１が絶縁されている絶縁床部５１とに分割することができる。
または、図１２に示すように隣り合う床暖房ユニット１１の内、一方の均熱層１５と他方の均熱層１５との間に金属等の導体からなる角柱状の導電板材５４を挟持するか、或は一方の均熱層１５と他方の均熱層１５とを電線５５で連結して一方のユニット１１から他方のユニット１１へ通電して電界を発生するようにした帯電床部５０と、一方の均熱層１５と他方の均熱層１５との間に硬質なゴム等からなる角柱状の絶縁板材５６を挟持するか、或は、一方の均熱層１５と他方の均熱層１５との間を所定の幅に離して、一方のユニット１１と他方のユニット１１が絶縁されている絶縁床部５１とに分けることができる。
そして、床暖房ユニット１１の隣り合う床板１３は、一方の床板１３に突条が形成され、対向する他方の床板１３に実溝を形成して、実継等で連結されて床面が形成される。
床暖房ユニット１１を所定面積の広さに組立てたら、放熱パイプ１６をボイラー部１２から引かれたパイプに連結する。そして放熱パイプ１６と電位発生器２０の出力端子４７とを電線で連結して、帯電床部５０を通電可能にする。さらに温度センサー２６を所定位置に設置し、温度コントローラ２０と電位発生器３０を所定位置に設置し、図１に示す電位発生機能付き床暖房装置が構成される。
【００１９】
実施例１に係る構成は以上であって次に使用方法を説明する。
床暖房ユニット１１は、温度コントローラ２０の電源を入れて室内温度や床面温度を温度センサー２６で検知させて、放熱パイプ１６中の熱媒の温度を調整することで床を暖める。
電位発生器３０の電源を入れると、負電位発生回路４０の出力端子４７から均熱層１５まで導体で連結されているために均熱層１５に電圧が印加される。このとき負電位発生回路４０の出力端子４７から送出される電圧成分は負方向の電圧であるため、均熱層１５は負電位を帯びる。
【実施例２】
【００２０】
本発明に係る電位発生機能補助装置６０を実施例２として図１３に示す。既設の床暖房装置６２に電位発生器３０を組み込んで電位発生機能を持たせる場合、銅やアルミ等からなる金属を網若しくは箔等の面状にした均熱導電シート６１を裁断する等して所定面積に形成し、床板６３と放熱パイプ等が埋設されている放熱部６４との間に敷設する。
電位発生器３０には負電位発生回路４０が組み込まれており、実施例１の負電位発生方法と同様に均熱導電シート６１を負電位に帯電させる。
【実施例３】
【００２１】
本発明に係る電位発生機能付き床暖房装置１０及び電位発生機能補助装置６０は、化粧材下面に絶縁体を貼着し、熱伝導率が高い導体からなる均熱層１５を絶縁体下面に形成した床板１３からなる床面か、若しくは床の裏面側に所定面積に形成した均熱導電シート６１を敷設した床面が構成される。したがって、床暖房ユニット１１の放熱部１４や既設の床暖房装置の放熱部６４が無くても、電位発生器３０と、均熱層１５が形成された床面か或は均熱導電シート６１を床板下面に貼着した床面とを導体で接続して電位療法を行なうことが可能である。
【００２２】
本発明の実施例に係る電位発生器３０による電位療法は、血液中で赤血球を被覆する膜が陽イオン化し複数個連結して群体となる連銭形成と呼ばれる状態を陰イオンと結合させることによって膜を切り離し血液中に赤血球群体の数を減少させて、血液をさらさらにする効果が得られる。したがって、血流が悪いことで引き起こされる頭痛、肩こり、不眠症、慢性便秘の症状の緩和が得られる。
また、上記の電位療法に加えて、患部を暖める温熱治療も本発明の実施例１若しくは２に係る床暖房装置１０の熱によって行なうことができる。温熱治療は、患部の筋肉を暖めることによってコリをほぐす効果が得られる治療法で、肩こり、腰痛、筋肉痛の症状の緩和が得られる。
【図面の簡単な説明】
【００２３】
【図１】本発明の実施例１に係る電位発生機能付き循環式床暖房装置を示す斜視図である。
【図２】本発明の実施例１に係る電位発生機能付き循環式床暖房装置の床暖房ユニットにおいて、一の例を示す均熱層と床板を一部切断した斜視図である。
【図３】本発明の実施例１に係る電位発生機能付き循環式床暖房装置の床暖房ユニットにおいて、他の例を示す均熱層と床板を一部切断した斜視図である。
【図４】本発明の実施例１に係る電位発生機能付き循環式床暖房装置の温度コントローラを示す斜視図である。
【図５】本発明の実施例１に係る電位発生機能付き循環式床暖房装置の温度コントローラの制御方法を説明するブロック図である。
【図６】本発明の実施例１に係る電位発生機能付き循環式床暖房装置の電位発生器を示す斜視図である。
【図７】本発明の実施例１に係る電位発生機能付き循環式床暖房装置の電位発生器に組み込まれ２００Ｖの交流電源を使用する負電位発生回路の一の例を示す回路図である。
【図８】本発明の実施例１に係る電位発生機能付き循環式床暖房装置の電位発生器に組み込まれ１００Ｖの交流電源を使用する負電位発生回路の他の例を示す回路図である。
【図９】本発明の実施例１に係る電位発生機能付き循環式床暖房装置の負電位発生回路に入力される交流電圧の入力波形を示す波形図である。
【図１０】本発明の実施例１に係る電位発生機能付き循環式床暖房装置の負電位発生回路から出力される出力波形を示す波形図である。
【図１１】本発明の実施例１に係る電位発生機能付き循環式床暖房装置の床暖房ユニットが放熱パイプによって通電の選択をすることを説明する斜視図である。
【図１２】本発明の実施例１に係る電位発生機能付き循環式床暖房装置の床暖房ユニットが均熱層によって通電の選択をすることを説明する斜視図である。
【図１３】本発明の実施例２に係る電位発生機能補助装置の均熱導電シートの敷設を示す床板を一部切断した斜視図である。
【符号の説明】
【００２４】
１０…床暖房装置、
１１…床暖房ユニット、１２…ボイラー部、１３…床板、１４…放熱部、１５…均熱層、１５Ａ…均熱層、１６…放熱パイプ、１６Ａ…放熱パイプ、１７…断熱材、１８…基礎パネル、１９…金属線、
２０…温度コントローラ、２０Ａ…温度コントローラ筐体、
２１…温度コントローラ表示部、２２…温度コントローラ操作部、２３…温度検知部、２４…温度制御部、２５…中央演算部、２６…温度センサ、
３０…電位発生器、３０Ａ…電位発生器筐体、
３１…電位発生器表示部、３２…電位発生器操作部、
４０…負電位発生回路、
４１…２００Ｖ交流電源、４１Ａ…１００Ｖ交流電源、４２…ダイオードブリッジ、４３…負荷抵抗、４４…接地抵抗、４５…出力抵抗、４６ａ…出力側スイッチ、４６ｂ…接地側スイッチ、４７…出力端子、４８…入力波形、４９…出力波形、
５０…帯電床部、５１…絶縁床部、５２…金属製継手、５３…絶縁体継手、５４…導電板材、５５…電線、５６…絶縁板材、
６０…電位機能補助装置、
６１…均熱導電シート、６２…既設の床暖房装置、６３…床板、６４…放熱部。
【図１】
2006038433.tif 000003
【図２】
2006038433.tif 000004
【図３】
2006038433.tif 000005
【図４】
2006038433.tif 000006
【図５】
2006038433.tif 000007
【図６】
2006038433.tif 000008
【図７】
2006038433.tif 000009
【図８】
2006038433.tif 000010
【図９】
2006038433.tif 000011
【図１０】
2006038433.tif 000012
【図１１】
2006038433.tif 000013
【図１２】
2006038433.tif 000014
【図１３】
2006038433.tif 000015